(57)【要約】【課題】美的効果が得られるとともに、扉本体の外側から内側に冷気が入り込むことを防止することができる建築物用扉を提供すること。【解決手段】ドア１は、建築物の開口部２０１に開閉自在に設置されるものである。このドア１は、外形形状が板状をなすドア本体２と、ドア本体２の縁部２１に設置され、ドア本体２が閉じているときに発光するとともに発熱するＬＥＤ光源を有する照明装置９ａ〜９ｅとを備えている。各照明装置９ａ〜９ｅは、それぞれ、ドア本体２が閉じている場合、ＬＥＤ光源が発する光がドア本体２の少なくとも一方の面側で視認され、ＬＥＤ光源が発する熱により当該ＬＥＤ光源周辺の空気を加温するよう構成されている。【選択図】図２
2007321536.tif 000002
【特許請求の範囲】
【請求項１】
建築物の開口部に開閉自在に設置される建築物用扉であって、
外形形状が板状をなす扉本体と、
前記扉本体の縁部に設置され、前記扉本体が閉じているときに発光するとともに発熱する少なくとも１つのＬＥＤ光源を有する照明装置とを備え、
前記照明装置は、前記扉本体が閉じている場合、前記ＬＥＤ光源が発する光が前記扉本体の少なくとも一方の面側で視認され、前記ＬＥＤ光源が発する熱により該ＬＥＤ光源周辺の空気を加温するよう構成されていることを特徴とする建築物用扉。
【請求項２】
前記扉本体が閉じているとき、該扉本体の縁部と前記開口部の縁部との間には、間隙が形成され、前記ＬＥＤ光源の熱が前記間隙内の空気を加温する請求項１に記載の建築物用扉。
【請求項３】
前記ＬＥＤ光源の光は、前記間隙を介して視認される請求項２に記載の建築物用扉。
【請求項４】
前記照明装置は、前記ＬＥＤ光源を複数有し、該複数のＬＥＤ光源が前記扉本体の縁部に沿って連設されている請求項１ないし３のいずれかに記載の建築物用扉。
【請求項５】
前記照明装置は、前記各ＬＥＤ光源のそれぞれに対して印加する電圧の大小により、加温の程度を設定し得るよう構成されている請求項４に記載の建築物用扉。
【請求項６】
前記扉本体が開いたとき、前記扉本体が閉じていたときに点灯していた前記ＬＥＤ光源のうちの少なくとも１つの前記ＬＥＤ光源が消灯する請求項４または５に記載の建築物用扉。
【請求項７】
前記照明装置は、前記扉本体が開いたときの前記各ＬＥＤ光源のそれぞれに対する通電／切電を選択し得るよう構成されている請求項６に記載の建築物用扉。
【請求項８】
前記ＬＥＤ光源は、前記照明装置が作動中か否かを示すパイロットランプとしての機能を有する請求項１ないし７のいずれかに記載の建築物用扉。
【請求項９】
前記ＬＥＤ光源は、前記扉本体が閉じているか否かを示す機能を有する請求項１ないし８のいずれかに記載の建築物用扉。
【請求項１０】
前記扉本体は、それを一方の面側からみたとき、形状がほぼ四角形をなしており、
前記照明装置は、前記扉本体の４つの縁部のうちの少なくとも１つの縁部に設置されている請求項１ないし９のいずれかに記載の建築物用扉。
【請求項１１】
前記扉本体に対して前記ＬＥＤ光源を支持する支持部材を有し、
前記ＬＥＤ光源の熱が、前記支持部材に蓄熱され、該支持部材から放熱されるよう構成されている請求項１ないし１０のいずれかに記載の建築物用扉。
【請求項１２】
前記扉本体と前記開口部とを連結し、該開口部に対して前記扉本体を回動可能に支持する回動支持部を有する請求項１ないし１１のいずれかに記載の建築物用扉。
【請求項１３】
前記扉本体は、それが閉じたときに前記建築物の内側と外側とを隔てるものである請求項１ないし１２のいずれかに記載の建築物用扉。
【請求項１４】
前記扉本体の外側の面には、ソーラーパネルが設置されており、該ソーラーパネルを介して得られた電力が前記ＬＥＤ光源に供給される請求項１３に記載の建築物用扉。
【発明の詳細な説明】
【技術分野】
【０００１】
本発明は、建築物の開口部に開閉自在に設置される建築物用扉に関する。
【背景技術】
【０００２】
住宅（建築物）の開口部（玄関）には、例えば、特許文献１に記載された住宅用ドアが開閉自在に設置されている。
【０００３】
しかしながら、この従来の住宅用ドアは、それを閉めたときに開口部を覆う機能、すなわち、扉として機能しか有していなかった。また、この従来の住宅用ドアでは、通常、それを閉めたとき、住宅用ドアの縁部と住宅の開口部の縁部との間に間隙が形成され、当該間隙を介して戸外からの空気（冷気）が室内に入り込んでいた。このため、例えば冬季に、住人が室内で寒さ（不快感）を感じていた。
【０００４】
【特許文献１】特開２００４−６８３４４号公報
【発明の開示】
【発明が解決しようとする課題】
【０００５】
本発明の目的は、美的効果が得られるとともに、扉本体の外側から内側に冷気が入り込むことを防止することができる建築物用扉を提供することにある。
【課題を解決するための手段】
【０００６】
このような目的は、下記（１）〜（１４）の本発明により達成される。
（１）  建築物の開口部に開閉自在に設置される建築物用扉であって、
外形形状が板状をなす扉本体と、
前記扉本体の縁部に設置され、前記扉本体が閉じているときに発光するとともに発熱する少なくとも１つのＬＥＤ光源を有する照明装置とを備え、
前記照明装置は、前記扉本体が閉じている場合、前記ＬＥＤ光源が発する光が前記扉本体の少なくとも一方の面側で視認され、前記ＬＥＤ光源が発する熱により該ＬＥＤ光源周辺の空気を加温するよう構成されていることを特徴とする建築物用扉。
【０００７】
（２）  前記扉本体が閉じているとき、該扉本体の縁部と前記開口部の縁部との間には、間隙が形成され、前記ＬＥＤ光源の熱が前記間隙内の空気を加温する上記（１）に記載の建築物用扉。
【０００８】
（３）  前記ＬＥＤ光源の光は、前記間隙を介して視認される上記（２）に記載の建築物用扉。
【０００９】
（４）  前記照明装置は、前記ＬＥＤ光源を複数有し、該複数のＬＥＤ光源が前記扉本体の縁部に沿って連設されている上記（１）ないし（３）のいずれかに記載の建築物用扉。
【００１０】
（５）  前記照明装置は、前記各ＬＥＤ光源のそれぞれに対して印加する電圧の大小により、加温の程度を設定し得るよう構成されている上記（４）に記載の建築物用扉。
【００１１】
（６）  前記扉本体が開いたとき、前記扉本体が閉じていたときに点灯していた前記ＬＥＤ光源のうちの少なくとも１つの前記ＬＥＤ光源が消灯する上記（４）または（５）に記載の建築物用扉。
【００１２】
（７）  前記照明装置は、前記扉本体が開いたときの前記各ＬＥＤ光源のそれぞれに対する通電／切電を選択し得るよう構成されている上記（６）に記載の建築物用扉。
【００１３】
（８）  前記ＬＥＤ光源は、前記照明装置が作動中か否かを示すパイロットランプとしての機能を有する上記（１）ないし（７）のいずれかに記載の建築物用扉。
【００１４】
（９）  前記ＬＥＤ光源は、前記扉本体が閉じているか否かを示す機能を有する上記（１）ないし（８）のいずれかに記載の建築物用扉。
【００１５】
（１０）  前記扉本体は、それを一方の面側からみたとき、形状がほぼ四角形をなしており、
前記照明装置は、前記扉本体の４つの縁部のうちの少なくとも１つの縁部に設置されている上記（１）ないし（９）のいずれかに記載の建築物用扉。
【００１６】
（１１）  前記扉本体に対して前記ＬＥＤ光源を支持する支持部材を有し、
前記ＬＥＤ光源の熱が、前記支持部材に蓄熱され、該支持部材から放熱されるよう構成されている上記（１）ないし（１０）のいずれかに記載の建築物用扉。
【００１７】
（１２）  前記扉本体と前記開口部とを連結し、該開口部に対して前記扉本体を回動可能に支持する回動支持部を有する上記（１）ないし（１１）のいずれかに記載の建築物用扉。
【００１８】
（１３）  前記扉本体は、それが閉じたときに前記建築物の内側と外側とを隔てるものである上記（１）ないし（１２）のいずれかに記載の建築物用扉。
【００１９】
（１４）  前記扉本体の外側の面には、ソーラーパネルが設置されており、該ソーラーパネルを介して得られた電力が前記ＬＥＤ光源に供給される上記（１３）に記載の建築物用扉。
【発明の効果】
【００２０】
本発明によれば、ＬＥＤ光源が発光することにより、その発光が視認され、よって、美的効果が得られる。
【００２１】
また、ＬＥＤ光源が発する光が間隙を介して視認される場合には、ＬＥＤ光源が間接照明となり、よって、美的効果や癒し効果（リラクゼーション効果）が得られる。
【００２２】
また、ＬＥＤ光源が発熱することにより、扉本体の外側から内側に流する冷気を加温することができ、よって、当該冷気が入り込むことを防止することができる。これにより、例えば、足元が、「スースー」したり、「ヒヤッ」とする不快感が解消され、建築物内において快適に活動することができる。
【００２３】
また、扉本体を閉じた状態で例えば建築物に設置された換気装置を作動した場合、扉本体と開口部との間の間隙を介して吸気／排気を行なうことができ、よって、建築物内に冷気が流入して当該建築物内を冷やさずに換気をすることができる。
【発明を実施するための最良の形態】
【００２４】
以下、本発明の建築物用扉を添付図面に示す好適な実施形態に基づいて詳細に説明する。
【００２５】
＜第１実施形態＞
図１は、本発明の建築物用扉の第１実施形態を示す斜視図、図２は、図１に示す建築物用扉の正面図（部分縦断面図）、図３は、図１に示す建築物用扉の下部の拡大部分縦断面図（（Ａ）は建築物用扉が閉じた状態を示す図、（Ｂ）は建築物用扉が開いた状態を示す図）、図４は、本発明における照明装置のＬＥＤユニットの構成例を示す斜視図、図５は、本発明における照明装置のＬＥＤ光源の構成例を示す図（（Ａ）は平面図、（Ｂ）は正面図、（Ｃ）は断面図）である。なお、説明の都合上、図１〜図３（図６も同様）において、上側を「上」、下側を「下」、左側を「左」、右側を「右」として説明する。また、図１〜図３中（図６も同様）の上下方向が鉛直方向、左右方向が水平方向である。また、図２では、扉本体の縁部と建築物の開口部の縁部との間の間隙を誇張して描いている。
【００２６】
図１および図２に示すドア（建築物用扉）１は、住宅（建築物）の例えば玄関の外壁２０に形成された開口部２０１に開閉自在に設置されるものである。これにより、ドア１が閉じたときに住居の内側と外側とを隔てることができる。よって、ドア１を閉めたとき、外側（戸外）から内側（室内）を視認するのを防止することができたり、不本意な第三者の室内への侵入を防止することができたりする。以下、ドア１が閉じた状態を「閉状態」といい、ドア１が開いた状態を「開状態」という。
【００２７】
図２に示すように、ドア１は、閉状態で、ドア１の縁部２１と開口部２０１の縁部２０２との間に、間隙５が形成される。例えば冬季には、間隙５を介して、戸外から外気（冷気）が室（図示せず）内に流入する。
【００２８】
ドア１は、ドア本体（扉本体）２と、ドア本体２と外壁２０（開口部２０１）とを連結する回動支持部３と、ドア本体２に設置された照明装置９ａ、９ｂ、９ｃ、９ｄおよび９ｅと、ドア本体２に対して照明装置９ａ、９ｂ、９ｃ、９ｄおよび９ｅ（ＬＥＤ光源９１）をそれぞれ支持する支持部材４と、ドア本体２の開閉操作を行なうノブ７とを有している。以下、各部の構成について説明する。
【００２９】
扉本体２は、外形形状が板状をなす部材で構成されている。また、図２に示すように、この扉本体２は、正面視で、すなわち、それを一方の面側（例えば外側）からみたとき、形状が長方形（四角形）をなしている。
【００３０】
なお、ドア本体２は、中実のものであってもよいし、中空のものであってもよい。ドア本体２が中空のものである場合、その中空部（内部空間）に、例えば、断熱材や遮音材を設置してもよい。
【００３１】
また、ドア本体２の構成材料としては、特に限定されないが、例えば、アルミニウムやアルミニウム系合金、木材等が挙げられる。
【００３２】
ドア本体２の図２中右側の縁部２１ｄには、その長手方向（鉛直方向）に沿って２つの回動支持部３、３が設置されている。各回動支持部３は、ドア本体２の縁部２１ｄと開口部２０１の縁部２０２とを連結し、当該開口部２０１に対してドア本体２を回動可能に支持するものである（図１参照）。これにより、ドア１を回動操作することができ、よって、ドア１が確実に閉状態と開状態とを取り得る。
なお、各回動支持部３は、例えば、ヒンジ（蝶番）で構成されている。
【００３３】
ドア本体２の各回動支持部３と反対側、すなわち、図２中左側の縁部２１ｂのほぼ中央部近傍には、ノブ７が設置されている。ノブ７は、ドア１を開閉操作するときに把持される部位である。
【００３４】
図２に示すように、ドア本体の縁部２１には、それぞれ、長尺状をなす凹部（溝）２２ａ、２２ｂ、２２ｃ、２２ｄおよび２２ｅが形成されており、各凹部２２ａ、２２ｂ、２２ｃ、２２ｄおよび２２ｅ内にそれぞれ各照明装置９ａ、９ｂ、９ｃ、９ｄおよび９ｅが支持部材４を介して設置（収納）されている。
【００３５】
凹部２２ａは、ドア本体２の図２中上側の縁部２１ａに形成さている。また、この凹部２２ａには、照明装置９ａが設置されている。
【００３６】
凹部２２ｂおよび２２ｃは、それぞれ、ドア本体２の図２中左側の縁部２１ｂに、その長手方向に沿って形成さている。また、凹部２２ｂおよび２２ｃは、ノブ７を介して、形成されている。凹部２２ｂには、照明装置９ｂが設置されており、凹部２２ｃには、照明装置９ｃが設置されている。
【００３７】
凹部２２ｄは、ドア本体２の図２中下側の縁部２１ｃに形成さている。また、この凹部２２ｄには、照明装置９ｄが設置されている。
【００３８】
凹部２２ｅは、ドア本体２の図２中右側の縁部２１ｄに形成さている。また、凹部２２ｅは、２つの回動支持部３および３の間に位置している。この凹部２２ｄには、照明装置９ｄが設置されている。
【００３９】
各照明装置９ａ、９ｂ、９ｃ、９ｄおよび９ｅの構成は、それぞれ、ほぼ同一であるため、以下、照明装置９ｄについて代表的に説明する。
【００４０】
図３および図４に示すように、照明装置９ｄは、複数（本実施形態では８つ）の図５に示すＬＥＤ（発光ダイオード）光源９１を、ドア本体２の縁部２１ｃに沿って連設してなるＬＥＤユニット９０を有している。このＬＥＤユニット９０としては、図４（Ａ）に示すように、パッケージ化されたもの、図４（Ｂ）に示すように、その表面が絶縁された通電用の導線（ケーブル）等で繋がっているもの等、種々の形態のものを用いることができる。なお、本実施形態および後述する各実施形態では、その一部を除き、代表的に、図４（Ａ）に示すパッケージ化されたＬＥＤユニット９０を用いた場合について説明する。
【００４１】
図５に示すように、ＬＥＤ光源９１は、発光するとともに発熱するものである。このＬＥＤ光源９１は、矩形板状の基盤９２と、基盤９２の一方の面（図５（Ｃ）において上側の面）上に設けられた反射板９３と、ＬＥＤ素子９４と、蛍光体９５と、レンズ９６とを備えている。
【００４２】
基盤９２は、矩形の金属板が多層に積層されて形成されている。また、基盤９２には、プラス電極９７とマイナス電極９８とが、その多層の金属板の間に挟まれて取り付けられている。この場合、プラス電極９７とマイナス電極９８とが短絡（ショート）しないようになっている。また、基盤９２の主材料には、ＬＥＤ素子９４の熱を逃がし易い材料、すなわち、熱伝導率の高い、例えば、アルミニウムやアルミニウム系合金等の金属材料が用いられる。
【００４３】
また、反射板９３は、枠状をなし、基盤９２の外周部に設置されており、その内面において光を反射する。
【００４４】
また、ＬＥＤ素子９４は、反射板９３の内側、すなわち、基盤９２の中央部に設置されている。また、ＬＥＤ素子９４は、その下面にプラス電極９４ａおよびマイナス電極９４ｂを有している。このプラス電極９４ａおよびマイナス電極９４ｂは、それぞれ、基盤９２のプラス電極９７およびマイナス電極９８に接続されている。ＬＥＤ素子９４は、プラス電極９４ａおよびマイナス電極９４ｂを介して低電圧直流電流が供給されることにより点灯（発光）する。
【００４５】
また、蛍光体９５は、ＬＥＤ素子９４を覆うように形成されており、レンズ９６は、反射板９３の内面および蛍光体９５を覆うように形成されている。
【００４６】
ＬＥＤユニット９０は、図４（Ａ）に示すように、複数のＬＥＤ光源９１が略直線状に連設され、パッケージ化されており、長尺状をなしている。
【００４７】
また、ＬＥＤユニット９０は、それぞれ、導線により図示しない電源部に接続されており、その電源部から電流（例えば、低電圧直流電流）が供給されると、駆動し、各ＬＥＤ光源９１がそれぞれ点灯（発光）する。
【００４８】
また、各ＬＥＤ光源９１が発する光（照明光）の色、すなわち、各ＬＥＤ素子９４における発光色は、白色であってもよく、また、例えば、赤色、緑色、青色等の種々のカラー色であってもよい。
【００４９】
また、ＬＥＤユニット９０において、各ＬＥＤ素子９４における発光色は、同一であってもよく、また、異なっていてもよい（異なる色を任意に組み合わせてもよい）。
【００５０】
図２および図３に示すように、このような構成のＬＥＤユニット９０（照明装置９ｄ）は、各ＬＥＤ光源９１の光軸の方向が、下方（下側）を向いている。
【００５１】
また、ＬＥＤユニット９０では、閉状態で、８つのＬＥＤ光源９１がそれぞれ、発光するとともに発熱するよう構成されている（図３（Ａ）参照）。また、開状態では、閉状態で点灯して（発光して）いた８つＬＥＤ光源９１のうちの４つのＬＥＤ光源９１が消灯するよう構成されている（図３（Ｂ）参照）。
【００５２】
このようにドア１の閉状態／開状態に応じた各ＬＥＤ光源９１のＯＮ／ＯＦＦ制御は、例えば、ドア１の縁部２１に、出没自在に設置されたスイッチにより行なうことができる。このスイッチは、閉状態で開口部２０１の縁部２０２に押圧されたとき、照明装置９ｄの回路を閉じて、各ＬＥＤ光源９１に対する電力の供給を可能とする。また、スイッチは、開状態で開口部２０１の縁部２０２の押圧が解除されたとき、照明装置９ｄの回路の一部を開いて、消灯するＬＥＤ光源９１に対する電力の供給を遮断（切断）する。なお、イッチは、開状態で点灯を続けるＬＥＤ光源９１に対しては、電力の供給を維持する。
【００５３】
また、ＬＥＤユニット９０を支持する支持部材４は、例えばアルミニウムやアルミニウム系合金等の熱伝導性が比較的高い金属材料で構成された板部材である。
【００５４】
次に、ドア１の作用について説明する。前述したように、各照明装置９ａ、９ｂ、９ｃ、９ｄおよび９ｅの構成は、それぞれ、ほぼ同一であるため、以下、照明装置９ｄについて代表的に説明する。
【００５５】
図２に示す（図３（Ａ）も同様）状態、すなわち、閉状態の場合、照明装置９ｄの各ＬＥＤ光源９１が点灯（発光）すると、各ＬＥＤ光源９１から光が発せられる。この光により、間隙５を介して、住宅の内部および外部が照明される。すなわち、住宅の内部（内側）および外部（外側）の両方から間隙５を介して、照明光を見ることができる。この照明、特に、住宅の内部への照明、すなわち、間接照明により、美的効果や癒し効果（リラクゼーション効果）が得られる。一般的に、間接照明は、美的効果や癒し効果があると言われている。
【００５６】
また、住宅の外部への照明により、住宅内に人がいるような感覚を与えることができ、また、住宅の外部において、ドア１に人が接近すると、その人が明るく照らされ、これらにより、防犯効果が得られる。
【００５７】
また、前述したように間隙５を介して住宅の外部の冷気が住宅の内部に流入しようとするが、各ＬＥＤ光源９１は熱を発するため、その熱が当該ＬＥＤ光源９１周辺の空気、すなわち、間隙５を通過する冷気（空気）を加温することとなる。これにより、冷気は、比較的暖かい空気（暖気）となり、この状態で住宅の内部に流入する。これにより、例えば、足元が、「スースー」したり、「ヒヤッ」とする不快感が解消され、住宅において快適に生活することができる。
【００５８】
また、ドア１を閉じた状態で例えば住宅内に設置された換気装置（図示せず）を作動した場合、間隙５を介して吸気／排気を行なうことができ、よって、住宅内に冷気が流入して当該住宅内を冷やさずに換気をすることができる。
【００５９】
照明装置９ｄ（照明装置９ａ〜９ｃおよび９ｅも同様）は、閉状態で、各ＬＥＤ光源９１のそれぞれに対して印加する電圧の大小を変えることができる。これにより、例えば、冬季には、各ＬＥＤ光源９１のそれぞれに対して印加可能な最大電圧を印加して、加温の程度を上げる（高める）ことができ、よって、冷気を十分に加温することができる。また、冬季より暖かい春季や秋季には、各ＬＥＤ光源９１のそれぞれに対する電圧を最大電圧より小さく設定して、加温の程度を抑制することができ、よって、冷気を過剰に加温するのを防止することができる。
【００６０】
このように、照明装置９ｄでは、季節に応じて加温の程度を変更するこができ、よって、冷気を過不足なく加温することができる。これにより、住宅においてより快適に生活することができる。
【００６１】
また、住宅の内部に流入した暖気は、ドア１の内側の面を加温することとなり、よって、ドア１の内側の面に結露が生じるのを防止することができる。
【００６２】
また、照明装置９ｄが作動しているときは、各ＬＥＤ光源９１はそれぞれ点灯し、逆に、照明装置９ｄが作動していない（例えば、照明装置９ｄの電源がＯＦＦされている）ときは、各ＬＥＤ光源９１はそれぞれ消灯するよう構成されている。これにより、ＬＥＤユニット９０（ＬＥＤ光源９１）は、照明装置９ｄが作動中か否かを示すパイロットランプとして機能する。これにより、照明装置９ｄが作動中か否かを容易かつ確実に把握することができる。
【００６３】
また、照明装置９ｄ（照明装置９ｂも同様）では、開状態で、各ＬＥＤ光源９１のそれぞれに対する通電／切電を選択することができる。これにより、開状態で４つのＬＥＤ光源９１はそれぞれ点灯し続け、残りの４つのＬＥＤ光源９１はそれぞれ消灯する。点灯が維持されるＬＥＤ光源９１と消灯するＬＥＤ光源９１とは、互いに交互に、配置されている。
【００６４】
このような構成により、閉状態と閉状態とで照明装置９ｄの照度が変わるため、ドア１が閉じているか否かを把握することができる。よって、例えば冬季に室内を暖房器具で暖めているとき、ドア１が開状態の場合、その開状態を認識してドア１を閉じて、室内の暖かい状態を維持することができる。
【００６５】
また、ドア１では、開状態で、冷気を加温するのを省略してもよい。このため、開状態で各ＬＥＤ光源９１のそれぞれに対する通電／切電を選択可能な構成を採ることができる。これにより、照明装置９ｄでの消費電力を抑制することができる。
【００６６】
また、図１に示すように、ドア１では、開状態で、照明装置９ａ、９ｂおよび９ｅがそれぞれ消灯する、すなわち、床（図示せず）に対して近位の照明装置９ｃおよび９ｄがそれぞれ前述したように点灯する。これにより、例えば室内が比較的暗いときに、足元を照明することができる。
【００６７】
また、各ＬＥＤ光源９１で発生した熱は、支持部材４に蓄熱（吸熱）され、当該支持部材４から放熱される。これにより、各ＬＥＤ光源９１で発生した熱を効率良く放熱することができ、これによって、各ＬＥＤ光源９１の温度上昇による発光効率の減少を抑制（または防止）することができ、これにより、効率良く照明することができる。
【００６８】
また、支持部材４に蓄熱され熱は、その一部がドア本体２に伝達される。これにより、ドア本体２が加温され、ドア本体２の結露を防止することができる。
【００６９】
以上説明したように、このドア１によれば、ＬＥＤ光源９１の発光（照明）により、美的効果や癒し効果（リラクゼーション効果）および防犯効果が得られるとともに、ＬＥＤ光源９１の発熱により、冷気の流入防止効果すなわち冷気に対する加温効果等の前述した種々の効果が得られる。
【００７０】
また、各照明装置９ａ、９ｂ、９ｃ、９ｄおよび９ｅがそれぞれドア本体２の各縁部２１ａ、２１ｂ、２１ｃおよび２１ｄに設置されているため、間隙５を通過する冷気を十分かつ確実に加温することができる。
【００７１】
また、照明装置９ｄ（照明装置９ａ〜９ｃおよび９ｅも同様）では、それぞれ、複数のＬＥＤ光源９１が縁部２１ｄの長手方向に沿って配列されているため、間隙５を通過する冷気を十分かつ確実に加温することができる。
【００７２】
＜第２実施形態＞
図６は、本発明の建築物用扉の第２実施形態を示す斜視図である。
【００７３】
以下、この図を参照して本発明の建築物用扉の第２実施形態について説明するが、前述した実施形態との相違点を中心に説明し、同様の事項はその説明を省略する。
【００７４】
本実施形態は、扉本体にソーラーパネルが設置されていること以外は前記第１実施形態と同様である。
【００７５】
図６に示すドア１Ａでは、ドア本体２Ａの外側の面に、２枚のソーラーパネル８、８が設置されている。各ソーラーパネル８は、それぞれ、当該ソーラーパネル８を介して得られた電力を蓄積する太陽電池（図示せず）に電気的に接続されている。
【００７６】
このような構成ドア１Ａでは、各ＬＥＤ光源９１に太陽電池から電力が供給され、よって、各ＬＥＤ光源９１が点灯する。これにより、ドア１Ａが環境に優しいものとなる。
【００７７】
以上、本発明の建築物用扉を図示の実施形態について説明したが、本発明は、これに限定されるものではなく、建築物用扉を構成する各部は、同様の機能を発揮し得る任意の構成のものと置換することができる。また、任意の構成物が付加されていてもよい。
【００７８】
また、本発明の建築物用扉は、それが閉じたときに建築物の内側と外側とを仕切る（隔てる）ものに限定されず、例えば、建築物の各部屋を仕切るものであってもよい。
【００７９】
また、本発明の建築物用扉は、建築物の開口部に対して回転可能なものであるのに限定されず、例えば、引き戸のような、開口部に対して移動可能（スライド可能）なものであってもよい。
【００８０】
また、ドア本体の各縁部に対する照明装置の設置数は、１つや２つであるのに限定されず、例えば、３つ以上であってもよい。
【００８１】
また、各照明装置は、ドア本体の４つの縁部にそれぞれ設置されているのに限定されず、例えば、４つの縁部のうちの１つ、２つまたは３つの縁部に設置されていてもよい。
【００８２】
また、各照明装置では、異なる色のＬＥＤ光源を複数交互に配置し、開状態で、特定の色のＬＥＤ光源が点灯または消灯するよう構成されていてもよい。例えば、各照明装置で複数の白色のＬＥＤ光源と複数の青色のＬＥＤ光源とが交互に配列されている場合、開状態で、各白色のＬＥＤ光源が点灯し続け、各青色のＬＥＤ光源が消灯してもよい。
【００８３】
また、ソーラーパネルは、ドア本体に設置されるのに限定されず、例えば、住宅の屋根に設置されていてもよい。
【００８４】
また、冷気が流入する間隙は、扉本体の縁部と開口部の縁部との間に形成されたものであるのに限定されず、例えば、一対の引き戸の間に形成されるものであってもよい。
【図面の簡単な説明】
【００８５】
【図１】本発明の建築物用扉の第１実施形態を示す斜視図である。
【図２】図１に示す建築物用扉の正面図（部分縦断面図）である。
【図３】図１に示す建築物用扉の下部の拡大部分縦断面図（（Ａ）は建築物用扉が閉じた状態を示す図、（Ｂ）は建築物用扉が開いた状態を示す図）である。
【図４】本発明における照明装置のＬＥＤユニットの構成例を示す斜視図である。
【図５】本発明における照明装置のＬＥＤ光源の構成例を示す図（（Ａ）は平面図、（Ｂ）は正面図、（Ｃ）は断面図）である。
【図６】本発明の建築物用扉の第２実施形態を示す斜視図である。
【符号の説明】
【００８６】
１、１Ａ          ドア（建築物用扉）
２、２Ａ          ドア本体（扉本体）
２１、２１ａ、２１ｂ、２１ｃ、２１ｄ  縁部
２２ａ、２２ｂ、２２ｃ、２２ｄ、２２ｅ  凹部（溝）
３                回動支持部
４                支持部材
５                間隙
７                ノブ
８                ソーラーパネル
９ａ、９ｂ、９ｃ、９ｄ、９ｅ  照明装置
９０              ＬＥＤユニット
９１              ＬＥＤ光源
９２              基盤
９３              反射板
９４              ＬＥＤ素子
９４ａ            プラス電極
９４ｂ            マイナス電極
９５              蛍光体
９６              レンズ
９７              プラス電極
９８              マイナス電極
２０              外壁
２０１            開口部
２０２            縁部
【図１】
2007321536.tif 000003
【図２】
2007321536.tif 000004
【図３】
2007321536.tif 000005
【図４】
2007321536.tif 000006
【図５】
2007321536.tif 000007
【図６】
2007321536.tif 000008